(57)【要約】【課題】端子のコンタクト部のインピーダンスを高く保持し、コンタクト部の有効嵌合長に相当する部分の電気長が短くし、共振周波数を高くすると共に、相手側コネクタとの嵌合状態を安定させる。【解決手段】本発明は、それぞれ複数の信号端子６とグランド端子とが交互に絶縁ハウジング４に並設された高速伝送電気コネクタ１であって、信号端子６とグランド端子にはそれぞれ相手側コネクタの各端子と表面で接触するコンタクト部１１が設けられ、絶縁ハウジング４には信号端子６のコンタクト部１１の有効嵌合長Ｌに相当する部分に空気層８が形成され、空気層８は信号端子６のコンタクト部１１の裏面と両側面とに臨むように形成されていることを特徴とする。【選択図】図６
2012059385.tif 000002
【特許請求の範囲】
【請求項１】
それぞれ複数の信号端子とグランド端子とが絶縁ハウジングに並設された高速伝送電気コネクタであって、
前記信号端子と前記グランド端子にはそれぞれ相手側コネクタの各端子と表面で接触するコンタクト部が設けられ、前記絶縁ハウジングには前記信号端子のコンタクト部の有効嵌合長に相当する部分に空気層が形成され、該空気層は前記信号端子のコンタクト部の裏面と両側面とに臨むように形成されていることを特徴とする高速伝送電気コネクタ。
【請求項２】
前記各コンタクト部の先端部分には表面側に切欠部が形成され、前記信号端子及び前記グランド端子と前記絶縁ハウジングとが一体成形されることにより前記切欠部に前記絶縁ハウジングが充填され、前記各コンタクト部の先端部分の表面側が平坦に形成されていることを特徴とする請求項１に記載の高速伝送電気コネクタ。
【発明の詳細な説明】
【技術分野】
【０００１】
本発明は、複数の信号端子とグランド端子とが絶縁ハウジングに並設されて構成された高速伝送電気コネクタに関するものである。
【背景技術】
【０００２】
近年、通信装置やコンピュータなどでは、伝送信号の高速化が進むと共に、基板実装の高密度化の傾向があり、多信号の高速伝送を実現する電気コネクタの要求が強くなっている。
【０００３】
従来のこの種の高速伝送電気コネクタとしては、例えば、絶縁ハウジングと複数の端子から構成され、相手側コネクタが嵌合可能なように前記絶縁ハウジングに形成された嵌合部の先端部によって前記端子のコンタクト部の先端部分が保持され、保持されたコンタクト部の先端部分以外の絶縁ハウジングとの間に空間が形成されているコネクタが公知である（例えば、特許文献１参照）。
【先行技術文献】
【特許文献】
【０００４】
【特許文献１】特開２００９−２１０６８号公報
【発明の概要】
【発明が解決しようとする課題】
【０００５】
しかしながら、上記した従来の高速伝送電気コネクタは、端子のコンタクト部と絶縁ハウジングとの間が完全に離れていないため、インピーダンスの低下抑制効果を十分に期待することができないといった問題や、端子のコンタクト部の有効嵌合長に相当する部分の電気長が長くなり、共振周波数が低くなるといった問題があった。
【０００６】
また、端子のコンタクト部の先端部分には嵌合部との間に段差が形成されているため、相手側コネクタとの嵌合状態が不安定になるといった問題もあった。
【０００７】
本発明は、上記した課題を解決すべくなされたものであり、端子のコンタクト部のインピーダンスを高く保持し、コンタクト部の有効嵌合長に相当する部分の電気長を短くし、共振周波数を高くすると共に、相手側コネクタとの嵌合状態を安定させることのできる高速伝送電気コネクタを提供することを目的とするものである。
【課題を解決するための手段】
【０００８】
上記した目的を達成するため、本発明は、それぞれ複数の信号端子とグランド端子とが絶縁ハウジングに並設された高速伝送電気コネクタであって、前記信号端子と前記グランド端子にはそれぞれ相手側コネクタの各端子と表面で接触するコンタクト部が設けられ、前記絶縁ハウジングには前記信号端子のコンタクト部の有効嵌合長に相当する部分に空気層が形成され、該空気層は前記信号端子のコンタクト部の裏面と両側面とに臨むように形成されていることを特徴とする。
【０００９】
この特徴により、前記信号端子のコンタクト部のインピーダンスを高く保ち、インピーダンスを整合することが可能となり、伝送ロスを減少させることができる。また、前記信号端子のコンタクト部の有効嵌合長に相当する部分の電気長を短くし、共振周波数を高くすることができる。
【００１０】
また、本発明に係る高速伝送電気コネクタにおいて、前記各コンタクト部の先端部分には表面側に切欠部が形成され、前記信号端子及び前記グランド端子と前記絶縁ハウジングとが一体成形されることにより前記切欠部に前記絶縁ハウジングが充填され、前記各コンタクト部の先端部分の表面側が平坦に形成されていることを特徴とする。
【００１１】
この特徴により、相手側コネクタとの嵌合動作を円滑且つ確実に行うことができ、嵌合状態を安定させることができる。
【発明の効果】
【００１２】
本発明に係る高速伝送電気コネクタによれば、端子のコンタクト部のインピーダンスを高く保持し、コンタクト部の有効嵌合長に相当する部分の電気長が短くし、共振周波数を高くすると共に、相手側コネクタとの嵌合状態を安定させることができる等、種々の優れた効果を得ることができる。
【図面の簡単な説明】
【００１３】
【図１】本発明の実施の形態に係る高速伝送電気コネクタを示す分解斜視図である。
【図２】本発明の実施の形態に係る高速伝送電気コネクタのコネクタ本体を示す斜視図である。
【図３】本発明の実施の形態に係る高速伝送電気コネクタのコネクタ本体を示す斜視図である。
【図４Ａ】本発明の実施の形態に係る高速伝送電気コネクタのコネクタ本体を示す平面図である。
【図４Ｂ】図４Ａの要部を拡大して示す平面図である。
【図５】図３のＡ−Ａ断面図である。
【図６】図３のＢ−Ｂ断面図である。
【図７】図６のＣ部を拡大して示す断面図である。
【図８】本発明の実施の形態に係る高速伝送電気コネクタと相手側コネクタとを示す分解斜視図である。
【図９】本発明の実施の形態に係る高速伝送電気コネクタに相手側コネクタを嵌合させた状態を示す断面図である。
【発明を実施するための形態】
【００１４】
以下、図面を参照しつつ、本発明の実施の形態について説明する。
【００１５】
図１は本発明の実施の形態に係る高速伝送電気コネクタを示す分解斜視図であり、この実施の形態に係る高速伝送電気コネクタ１は、扁平横長で角筒状のケース２の内部に一方向（図示では下方）から複数（図示では１０個）のコネクタ本体３が複数段複数列（図示では２段５列）で挿入されることにより構成されており、基板（図示省略）上に実装されるようになっている。
【００１６】
図２はコネクタ本体３を一方向から示す斜視図、図３はコネクタ本体３を他方向から示す斜視図、図４Ａはコネクタ本体３を示す平面図、図４Ｂは図４Ａの要部を拡大して示す平面図、図５は図３のＡ−Ａ断面図、図６は図３のＢ−Ｂ断面図、図７は図６のＣ部を拡大して示す断面図であり、このコネクタ本体３は、略矩形板状の絶縁ハウジング４と、絶縁ハウジング４の一方の面側に設けられるグランド板５と、絶縁ハウジング４の他方の面側に所定間隔で交互に並設される複数（図示では６個）の信号端子６と複数（図示では７個）のグランド端子７とを備えて構成されている。
【００１７】
絶縁ハウジング４は、ケース２の内部に挿入可能なようにモールド成形されており、絶縁ハウジング４の一方の端部（図示では上端部）には複数（図示では６個）の空気層８が所定間隔で形成されている。
【００１８】
グランド板５は、金属板により形成され、中央部分がクランク状に屈曲された形状をなしている。グランド板５には複数（図示では１２個）の切り起こし部９が形成されており、図７に最も良く示されているように、グランド板５の一方の端部（図示では上端部）１０は内側に９０°屈曲して形成されている。
【００１９】
信号端子６及びグランド端子７は、金属板を打抜き、部分的に屈曲して形成され、絶縁ハウジング４に一体成形されており、一方の端部（図示では上端部）にそれぞれコンタクト部１１，１２が形成されている。
【００２０】
図７に最も良く示されているように、これらの各コンタクト部１１，１２の先端部分１３，１４には、表面側にそれぞれ切欠部１５，１６が形成されており、信号端子６及びグランド端子７と絶縁ハウジング４が一体成形されることによりこれらの切欠部１５，１６に絶縁ハウジング４が充填され、各コンタクト部１１，１２の先端部分１３，１４の表面側は平坦に形成されている。
【００２１】
また、信号端子６及びグランド端子７の他方の端部（図示では下端部）はそれぞれ外側に９０°屈曲され、基板実装部１７，１８が形成されている。
【００２２】
信号端子６のコンタクト部１１の有効嵌合長Ｌ（図６参照）に相当する部分（スタブ部分）１９には、前記絶縁ハウジング４の空気層８が配置され、信号端子６のコンタクト部１１の先端部分１３は絶縁ハウジング４に支持されている。図５に良く示されているように、この空気層８は信号端子６のコンタクト部１１の裏面２０と両側面２１とに臨むように形成されており、これにより、信号端子６は、コンタクト部１１の有効嵌合長Ｌ（例えば、１．２ｍｍ）に相当する部分１９が絶縁ハウジング４から完全に離間した状態で、絶縁ハウジング４に支持されるようになっている。
【００２３】
また、図４Ｂに良く示されているように、空気層８は、相手側コネクタ２４の信号端子２７（図８，９参照）が接触する部分３０の裏面側まで形成されている。そして、この接触する部分３０は相手側コネクタ２４の信号端子２７との接触時に強い接圧を受けるため、接触する部分３０の裏面側の近傍部分３１は絶縁ハウジング４によって補強されている。
【００２４】
また、図５に良く示されているように、グランド端子７のコンタクト部１２は、裏面２２と両側面２３が絶縁ハウジング４に接触するように絶縁ハウジング４に支持されている。
【００２５】
次に、図面を参照しつつ、上記した構成を備えた高速伝送電気コネクタに相手側コネクタを嵌合させる時の作用について説明する。
【００２６】
図８は本発明の実施の形態に係る高速伝送電気コネクタ１と相手側コネクタ２４とを示す分解斜視図であり、相手側コネクタ２４は、本発明の実施の形態に係る高速伝送電気コネクタ１のケース２より低背型のケース２５の内部に一方向（図示では上方）から複数（図示では１０個）のコネクタ本体２６が複数段複数列（図示では２段５列）で挿入されることにより構成され、本発明の実施の形態に係る高速伝送電気コネクタ１に一方向（図示では上方）から嵌合するようになっている。また、相手側コネクタ２４のコネクタ本体２６には、本発明の実施の形態に係る高速伝送電気コネクタ１のコネクタ本体３の信号端子６及びグランド端子７に接触するように、信号端子２７及びグランド端子２８がそれぞれ設けられている。
【００２７】
図９は基板（図示省略）に実装させた本発明の実施の形態に係る高速伝送電気コネクタ１に上方から相手側コネクタ２４を嵌合させた状態を示す断面図であり、この嵌合状態では、信号端子６のコンタクト部１１の裏面２０と両側面２１とに臨むように絶縁ハウジング４に空気層８が形成されており、信号端子６のコンタクト部１１の有効嵌合長Ｌ（図６参照）に相当する部分１９が絶縁ハウジング４から完全に離間しているため、信号端子６，２７同士が接触した際、信号端子６のコンタクト部１１のインピーダンスを高く保ち、インピーダンスを整合することが可能となり、伝送ロスを減少させることができる。
【００２８】
さらにまた、信号端子６のコンタクト部１１の有効嵌合長Ｌに相当する部分１９の電気長を短くし、共振周波数を高くすることができ、特に、３ＧＨｚ以上の高周波数帯域での伝送特性を向上させることができ、例えば、１２．５ＧＨｚでは、差動インピーダンスを１００±１０Ω、クロストークを２５ｄＢ以下、反射損失を１０ｄＢ以上、挿入損失を１ｄＢ以下に保つことができる。
【００２９】
また、信号端子６のコンタクト部１１の裏面２０と両側面２１とに臨むように絶縁ハウジング４に空気層８が形成されていても、信号端子６の先端部分１３が絶縁ハウジング４にしっかりと支持されていると共に、グランド端子７のコンタクト部１２が絶縁ハウジング４に支持されているため、信号端子６，２７同士及びグランド端子７，２８同士の接触強度や、信号端子６，２７及びグランド端子７，２８の支持強度を十分に確保することができる。
【００３０】
さらに、信号端子６及びグランド端子７の各コンタクト部１１，１２の先端部分１３，１４にはそれぞれ切欠部１５，１６が形成され、信号端子１１及びグランド端子１２と絶縁ハウジング４が一体成形されることによりこれらの切欠部１５，１６が絶縁ハウジング４に充填され、各コンタクト部１１，１２の先端部分１３，１４の表面側が平坦に形成されているため、相手側コネクタ２４との嵌合動作を円滑且つ確実に行うことができ、嵌合状態を安定させることができる。
【００３１】
なお、上記した本発明の実施の形態の説明では、信号端子６のコンタクト部１１の有効嵌合長Ｌに相当する部分１９にのみ絶縁ハウジング４に空気層８を設けているが、これは本発明をこの形態に限定する趣旨ではなく、例えば、グランド端子７のコンタクト部１２の有効嵌合長に相当する部分にも絶縁ハウジング４に空気層８を設けてもよく、この場合には、上記した効果をさらに高めることができる。
【００３２】
また、上記した本発明の実施の形態では、信号端子６とグランド端子７とが１本ずつ交互に並設されている場合について例示して説明したが、本発明はこの場合に限定されるものではなく、例えば、各グランド端子７の間に２本の信号端子６が並設されている差動回路の配列パターン等、信号端子６とグランド端子７が他の配列パターンで並設されている場合にも適用可能である。
【００３３】
また、上記した本発明の実施の形態の説明は、本発明に係る高速伝送電気コネクタにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３４】
１          高速伝送電気コネクタ
４          絶縁ハウジング
６          信号端子
７          グランド端子
８          空気層
１１        （信号端子の）コンタクト部
１２        （グランド端子の）コンタクト部
１５        （信号端子の）切欠部
１６        （グランド端子の）切欠部
１９        有効嵌合長に相当する部分
２０        裏面
２１        側面
２４        相手側コネクタ
２７        （相手側コネクタの）信号端子６
２８        （相手側コネクタの）コンタクト端子
【図１】
2012059385.tif 000003
【図２】
2012059385.tif 000004
【図３】
2012059385.tif 000005
【図４Ａ】
2012059385.tif 000006
【図４Ｂ】
2012059385.tif 000007
【図５】
2012059385.tif 000008
【図６】
2012059385.tif 000009
【図７】
2012059385.tif 000010
【図８】
2012059385.tif 000011
【図９】
2012059385.tif 000012